(57)【要約】      （修正有）【課題】杖自体が簡単に自立することができる自立構造杖を提供する。【解決手段】モーター７ａ及び前記モーター７ａの軸７ｂに接続したネジ棒７ｄとからなる駆動部７を備えた中連結筒５と、前記中連結筒５の下端に連結され内部に内壁がネジ山８ｃの内壁材８ｂ、前記内壁材８ｂの外面を覆い下部にスプリング８ｄを取り付けた外壁材８ａとからなる稼働部８、連結棒９ｂを介して脚９ｃを取り付けた連結体９ａからなる脚部９を備えた下連結筒６とからなる。【選択図】図４
2007143905.tif 000002
【特許請求の範囲】
【請求項１】
基盤に接続したスイッチ及び電池、前記基盤に接続したスイッチ及び電池を収納した取っ手とからなる操作部と、前記操作部の下部に接続した上外装筒、前記上外装筒に接続した下外装筒、及び記下外装筒の下端に取り付けた緩衝部材とからなる外装筒と、前記外装筒内に内包され、前記操作部の連結部に接続した上連結筒と、前記上連結筒の下端に連結され内部にモーター及び前記モーターの軸に接続したネジ棒とからなる駆動部を備えた中連結筒と、前記中連結筒の下端に連結され内部に内壁がネジ山の内壁材、前記内壁材の外面を覆い下部にスプリングを取り付けた外壁材とからなる稼働部、連結棒を介して脚を取り付けた連結体からなる脚部を備えた下連結筒とからなることを特徴とする自立構造杖。
【発明の詳細な説明】
【技術分野】
【０００１】
本発明は、歩行の手助けをする杖に関する発明である。
【背景技術】
【０００２】
従来、歩行の手助けをする杖は細長い棒の上部に持ち手を取り付けた簡易なものであった。
【０００３】
しかしながら、従来の杖は使用しない時には壁やテーブルの縁に立て掛けたり傘立て等に置いておかなくてはならず、壁などに立て掛けた場合は簡単に倒れてしまい非常に邪魔なものであり、また、通常入口に設置されている傘立てを使用する場合は、傘立てから席に着くまでは杖なしで歩行しなければならなかった。
【特許文献１】特開２００５−６６９９号公報
【発明の開示】
【発明が解決しようとする課題】
【０００４】
そこで、本発明は、他の支えを必要とせず、杖自体が簡単に自立することができる自立構造杖を提供することを目的とするものである。
【課題を解決するための手段】
【０００５】
本発明は、上記の課題を解決するために、基盤２ｅに接続したスイッチ２ｃ及び電池２ｄ、前記基盤２ｅに接続したスイッチ２ｃ及び電池２ｄを収納した取っ手２ａとからなる操作部２と、前記操作部２の下部に接続した上外装筒３ａ、前記上外装筒３ａに接続した下外装筒３ｂ、及び記下外装筒３ｂの下端に取り付けた緩衝部材３ｃとからなる外装筒３と、前記外装筒３内に内包され、前記操作部２の連結部２ｂに接続した上連結筒４と、
前記上連結筒４の下端に連結され内部にモーター７ａ及び前記モーター７ａの軸７ｂに接続したネジ棒７ｄとからなる駆動部７を備えた中連結筒５と、前記中連結筒５の下端に連結され内部に内壁がネジ山８ｃの内壁材８ｂ、前記内壁材８ｂの外面を覆い下部にスプリング８ｄを取り付けた外壁材８ａとからなる稼働部８、連結棒９ｂを介して脚９ｃを取り付けた連結体９ａからなる脚部９を備えた下連結筒６とからなることを特徴とする自立構造杖１の構成とした。
【発明の効果】
【０００６】
本発明の自立構造杖は、杖自体が自立する構造を備えているため、一時的に使用しない場合に手の届く範囲に立たせておくことができて、すぐに杖を使用することができる。
【０００７】
また、容易に倒れてしまうことがないので、いつの間にか倒れており他人の通行の邪魔をしてしまうようなことがない。
【０００８】
更に、脚の開閉を制御する基盤を取り付けたため、ワンタッチで完全に脚を開閉を行うことができる。
【発明を実施するための最良の形態】
【０００９】
簡単な操作で杖を自立させることができるという目的を、杖の下部に自立構造を備えたことによって実現した。
【実施例１】
【００１０】
図１は本発明である自立構造杖の閉じた状態を示した正面図、図２は自立構造杖の開き始めた状態を示した正面図、図３は自立構造杖の開いた状態を示した正面図である。
【００１１】
図１から図３に示すように、本発明である自立構造杖１は、略Ｔ字型の操作部２と内部に上中下連結筒４、５、６及び駆動部７、稼働部８並びに脚部９を内包した外装筒３とからなる。
【００１２】
外装筒３は上下外装筒３ａ、３ｂからなり、下外装筒３ｂの下端には略Ｕ字型の細いスリットが３本形成されており、そのスリットの位置には脚部９の３本の脚９ｃ、９ｃ、９ｃが見えている。
【００１３】
図２及び図３に示すように、脚９ｃ、９ｃ、９ｃは内部の駆動部７及び稼働部８により開閉することができ、脚９ｃ、９ｃ、９ｃを完全に開いた状態では、脚９ｃの先端だけが地面等の接地面に付いて自立構造杖１自体を接地面より押上げた状態となっている。
【００１４】
即ち、自立構造杖１の下端に取り付けられている緩衝部材３ｃは接地面から浮いた状態となり、自立構造杖１は３本の脚９ｃ、９ｃ、９ｃのみで自立することとなる。次に図４から図７を使用して、自立構造杖１の内部構造と各部材の動きを説明することとする。
【００１５】
図４は、本発明である自立構造杖の断面図である。図４に示すように、操作部２は略Ｔ字型をした内部が中空の持ち手２ａからなり、持ち手２ａの内部にはスイッチ２ｃ及び電池２ｄ並びに基盤２ｅが設置されている。
【００１６】
前記スイッチ２ｃの一部は持ち手２ａより突出しており、持ち手２ａの外側から操作できるようになっている。また、スイッチ２ｃは基盤２ｅに接続されており、基盤２ｅ及び電池２ｄはそれぞれ後に説明する駆動部７のモーター７ａに接続されている。
【００１７】
上連結筒４は、内部が中空の上筒体４ａからなり上端４ｂは径は他の部分の径より小さく、また上端４ｂの外径は前記操作部２の連結部２ｂの内径と等しい。即ち、上端４ｂを連結部２ｂに嵌め込むことにより操作部２と上連結筒４をしっかりと連結している。
【００１８】
中連結筒５は、前記上連結筒４と同形である。即ち、内部が中空の中筒体５ａからなり上端５ｂは他の部分の径より小さく、また上端５ｂの外径は前記上筒体４ａの内径と等しい。中連結筒５の上端５ｂを上連結筒４の下端に嵌め込むことにより上連結筒４と中連結筒５をしっかりと連結している。
【００１９】
下連結筒６は、内部が中空の下筒体６ａからなり上端６ｂの径は他の部分の径より小さく、また上端６ｂの外径は前記中連結筒５の内径と等しい。即ち、上端６ｂを中連結筒５の下端に嵌め込むことにより中連結筒５と下連結筒６をしっかりと連結している。下連結筒６の下端には３本の略Ｕ字型のスリット６ｃ、６ｃ、６ｃが形成されている。
【００２０】
駆動部７は、モーター７ａとモーター７ａより下方に向かって伸びた軸７ｂの先端に取り付けられたネジ棒７ｄからなる。軸７ｂの先端部には接続突起７ｃが形成されており、この接続突起７ｃをネジ棒７ｄの上端に接続することでモーター７ａとネジ棒７ｄは連結している。
【００２１】
モーター７ａの回転に伴って軸７ｂの先端に接続されたネジ棒７ｄは時計回り、半時計回りの回転をすることができる。尚、駆動部７は、前記中連結筒５内に設置されている。
【００２２】
稼働部８は、内部が中空で内壁面にネジ山８ｃを形成した内装材８ｂと、内装材８ｂを内包する筒状の外装材８ａからなる。内装材８ｂは外装材８ａの中心に挿通されて一体となっており、内装材８ｂの上端は外装材８ａの上端から突出している。
【００２３】
外装材８ａの下端にはスプリング８ｄが取り付けられている。内装材８ｂの内壁面に形成されているネジ山８ｃの径及びネジ山形状と、前記駆動部７のネジ棒７ｄの径及びネジ山形状は同じであり、内装材８ｂにネジ棒７ｄを螺合することで駆動部７と稼働部８は連結されている。
【００２４】
脚部９は、円柱形の連結体９ａと３本の細長い平板状の脚９ｃ、９ｃ、９ｃと、前記連結体９ａと脚９ｃを連結する３本の連結棒９ｂ、９ｂ、９ｂとからなる。連結体９ａは下部に３つの溝９ｅ、９ｅ、９ｅを形成しており、各溝９ｅ、９ｅ、９ｅには連結棒９ｂの上端が留め具１０により回動可能に取り付けられている。
【００２５】
各脚９ｃ、９ｃ、９ｃの中央よりやや下には孔９ｄが穿設されており、孔９ｄに前記連結棒９ｂの先端９ｆの一部を挿通し脚９ｃと連結棒９ｂは留め具１０ａにより回動可能に連結されている。また、各脚９ｃ、９ｃ、９ｃの下端は下連結筒６のスリット６ｃの下部に留め具１０ｂにより回動可能に取り付けられている。
【００２６】
図５は、本発明である自立構造杖の一部拡大図である。図５に示すように、前記駆動部７のネジ棒７ｄは稼働部８の内装材８ｂに螺合されており、モーター７ａの回転にともなってネジ棒７ｄが回転し、ネジ棒７ｄの回転と連動して内装材８ｂを備えた稼働部８が上下に稼働する。
【００２７】
また、稼働部８の下端にはスプリング８ｄを介して脚部９の連結体９ａが接続されているため、モーター７ａの回転により稼働部８が上下動すると、同時に連結体９ａは上下動する。
【００２８】
図６及び図７は、本発明である自立構造杖の脚部付近の拡大図である。図６及び図７に示すように、ネジ棒７ｄが回転し稼働部８が下方に向かって移動すると、同時に連結体９ａも下方に向かって移動する。
【００２９】
そして連結体９ａに回動可能に取り付けられた連結棒９ｂが、各連結棒９ｂの先端９ｆに連結した脚９ｃを外方にむかって押し広げ脚９ｃが開く。このとき、脚９ｃの下端部が下筒体６ａのスリット６ｃの位置で回動可能に連結されているため、連結棒９ｂにより押し広げられた脚９ｃは花が開くように広がる。
【００３０】
また、図７に示すように押し広げられた脚９ｃの上端部は緩衝部材３ｃの位置よりも更に下方まで押し下げられ、最大に押し広げられた状態では緩衝部材３ｃが地面等の接地面から完全に浮いた状態となっている。そして自立構造杖１は３本の脚９ｃ、９ｃ、９ｃのみで自立する。
【００３１】
モーター７ａを逆回転させた場合、稼働部８は引き上げられ、同時に連結体９ａも上方に向かって移動する。連結体９ａが上方に移動することにより連結体９ａに取り付けられた連結棒９ｂは各脚９ｃを引き上げてゆき、脚９ｃが下連結筒６のスリット６ｃに格納されるまで稼働部８は上昇する。
【００３２】
前記モーター７ａの回転方向の操作はモーター７ａに基盤２ｅを介して接続されたスイッチ２ｃにより操作できる。基盤２ｅによりスイッチ２ｃを押し続けることなくワンタッチで開閉を行うことができる。
【００３３】
即ち、スイッチ２ｃを開の方向に一度押すだけで脚９ｃが完全に開くまでモーター７ａが作動し、閉の方向に一度押すだけで脚９ｃが下連結筒６の格納されるまでモーター７ａが作動する。この基盤２ｅによりスイッチ２ｃを押し続ける必要がなく、簡単に操作をすることができる。
【図面の簡単な説明】
【００３４】
【図１】本発明である自立構造杖の閉じた状態を示した正面図である。
【図２】本発明である自立構造杖の開き始めた状態を示した正面図である。
【図３】本発明である自立構造杖の開いた状態を示した正面図である。
【図４】本発明である自立構造杖の断面図である。
【図５】本発明である自立構造杖の一部拡大図である。
【図６】本発明である自立構造杖の脚部付近の拡大図である。
【図７】本発明である自立構造杖の脚部付近の拡大図である。
【符号の説明】
【００３５】
１      自立構造杖
２      操作部
２ａ    持ち手
２ｂ    連結部
２ｃ    スイッチ
２ｄ    電池
２ｅ    基盤
３      外装筒
３ａ    上外装筒
３ｂ    下外装筒
３ｃ    緩衝部材
４      上連結筒
４ａ    上筒体
４ｂ    上端
５      中連結筒
５ａ    中筒体
５ｂ    上端
６      下連結筒
６ａ    下筒体
６ｂ    上端
６ｃ    スリット
７      駆動部
７ａ    モーター
７ｂ    軸
７ｃ    接続突起
７ｄ    ネジ棒
８      稼働部
８ａ    外装材
８ｂ    内装材
８ｃ    ネジ山
８ｄ    スプリング
９      脚部
９ａ    連結体
９ｂ    連結棒
９ｃ    脚
９ｄ    孔
９ｅ    溝
９ｆ    先端
１０      留め具
１０ａ    留め具
１０ｂ    留め具
【図１】
2007143905.tif 000003
【図２】
2007143905.tif 000004
【図３】
2007143905.tif 000005
【図４】
2007143905.tif 000006
【図５】
2007143905.tif 000007
【図６】
2007143905.tif 000008
【図７】
2007143905.tif 000009